(57)【要約】      （修正有）【課題】カッタの開閉に伴い、搬送される排わらのカッタへの供給と非供給とを切り換える切換装置と、切換装置の操作を行う操作具とを繋ぐワイヤを円滑に案内する案内ガイドを設けたコンバインを提供する。【解決手段】排わらを切断処理するカッタへの搬送される排わらの供給と非供給とを切り換える切換装置２９と、該切換装置２９の操作を行う操作具とを連結するワイヤ３２のカッタを開放姿勢から作業姿勢に姿勢変更させる際に発生する弛み部分を案内しながら、ワイヤ３２をカッタの回動方向に押し込む案内ガイド３６をカッタ機枠２３側に設けた。【選択図】図６
2007289024.tif 000002
【特許請求の範囲】
【請求項１】
排わらを切断処理するカッタ（９）と、搬送される排わらのカッタ（９）への供給と非供給とを切り換える切換装置（２９）と、該切換装置（２９）の操作を行う操作具（３１）とを備え、上記カッタ（９）が、作業姿勢（Ａ）と開放姿勢（Ｂ）とに開閉回動自在に装着され、上記切換装置（２９）がカッタ（９）側に設けられ、前記操作具（３１）と切換装置（２９）とがワイヤ（３２）を介して連結され、操作具（３１）の操作に応じてワイヤ（３２）によって切換装置（２９）を切り換え作動させるコンバインにおいて、カッタ機枠（２３）側に、カッタ（９）の開放姿勢（Ｂ）から作業姿勢（Ａ）への姿勢変更の際に発生するワイヤ（３２）の弛み部分を案内しながらワイヤ（３２）をカッタ（９）の回動方向に押し込む案内ガイド（３６）を設けたコンバイン。
【請求項２】
走行機体（１）の後方側に後部カバー（２２）を設け、カッタ（９）を後部カバー（２２）の後方に配置し、操作レバー（３１）を後部カバー（２２）の前方に配置し、後部カバー（２２）にワイヤ（３２）及び案内ガイド（３６）を挿通状態で通過させる挿通部（３８）を設け、案内ガイド（３６）の後部カバー（２２）より前方部分に、カッタ（９）の作業姿勢（Ａ）への回動時に、案内ガイド（３６）と一体的にワイヤ（３２）を押し込み移動させるようにワイヤ（３２）を支持する支持部（３６Ａ）を設けた請求項１のコンバイン。
【発明の詳細な説明】
【技術分野】
【０００１】
本発明は、脱穀後の排わらを切断処理するカッタを備えたコンバインに関する。
【背景技術】
【０００２】
一般的に、排わらを切断処理するカッタと、搬送される排わらのカッタへの供給と非供給とを切り換える切換装置と、該切換装置の操作を行う操作具とを備え、上記カッタが開放姿勢と作業姿勢とに開閉回動自在に装着され、上記切換装置がカッタ側に設けられ、前記操作具と切換装置とがワイヤを介して連結され、操作具の操作に応じてワイヤによって切換装置を切り換え作動させるコンバインが公知となっている。
【０００３】
操作具と切換装置とがワイヤを介して連結される場合、カッタが開放姿勢にあるときと、カッタが作業姿勢のときとでは、操作具から切換装置までの距離が異なるため、ワイヤの長さをカッタが開放姿勢にあるときに基づいて設定する必要がある。
【０００４】
このためカッタが作業姿勢に閉じられると、ワイヤはカッタが作業姿勢の場合に必要な長さより長いため、カッタの作業姿勢への姿勢変更に伴って折れ曲がって破損したり、他の構造物の妨げとなったりする場合があった。
【０００５】
これに対してワイヤをカッタが作業姿勢の場合に必要な長さとし、カッタを開放姿勢に開くと切換装置側とワイヤ側との連係を断ち、カッタの開閉に伴ったワイヤの移動を廃したコンバインが公知となっている（特許文献１参照）。また操作レバーとカッタの回動支点の近傍に配置されたリンク機構とをロッドを介して連結し、リンク機構と切換装置リンク機構を極めて短いワイヤによって連結し、カッタの開閉に伴うワイヤの移動が極小さくなるように構成したコンバインも公知となっている（特許文献２参照）。
【特許文献１】特許第２５２７９１８号公報
【特許文献２】特許第２５７４５０３号公報
【発明の開示】
【発明が解決しようとする課題】
【０００６】
上記特許文献１及び２のコンバインは、共にリンク機構等からなる複雑な機械構造を持つ。このため構造が複雑化し、且つコストアップになるという欠点があった。
【課題を解決するための手段】
【０００７】
上記課題を解決するための本発明のコンバインは、排わらを切断処理するカッタ９と、搬送される排わらのカッタ９への供給と非供給とを切り換える切換装置２９と、該切換装置２９の操作を行う操作具３１とを備え、上記カッタ９が、作業姿勢Ａと開放姿勢Ｂとに開閉回動自在に装着され、上記切換装置２９がカッタ９側に設けられ、前記操作具３１と切換装置２９とがワイヤ３２を介して連結され、操作具３１の操作に応じてワイヤ３２によって切換装置２９を切り換え作動させるコンバインにおいて、カッタ機枠２３側に、カッタ９の開放姿勢Ｂから作業姿勢Ａへの姿勢変更の際に発生するワイヤ３２の弛み部分を案内しながらワイヤ３２をカッタ９の回動方向に押し込む案内ガイド３６を設けたことを特徴としている。
【０００８】
第２に走行機体１の後方側に後部カバー２２を設け、カッタ９を後部カバー２２の後方に配置し、操作レバー３１を後部カバー２２の前方に配置し、後部カバー２２にワイヤ３２及び案内ガイド３６を挿通状態で通過させる挿通部３８を設け、案内ガイド３６の後部カバー２２より前方部分に、カッタ９の作業姿勢Ａへの回動時に、案内ガイド３６と一体的にワイヤ３２を押し込み移動させるようにワイヤ３２を支持する支持部３６Ａを設けたことを特徴としている。
【発明の効果】
【０００９】
操作具と切換装置とがワイヤを介して連結され、カッタを開放姿勢に開く際にワイヤが妨げとならないように、ワイヤの長さが開放姿勢のカッタの位置に基づいて設定される場合、以上のように構成される本発明の構造によると、開放姿勢のカッタを作業姿勢に姿勢変更すると、案内ガイドによってワイヤがカッタの回動方向に向かって押し込まれ、ワイヤが屈曲して破損したり、ワイヤが他の構造物の妨げになったりする不都合が防止される。
【００１０】
走行機体後方の後部カバーを挟んで前方に操作レバーを、後方にカッタを配置した場合、後部カバーにワイヤ及び案内ガイドを挿通状態で通過させる挿通部を設け、案内ガイドの後部カバーより前方部分に、カッタの作業姿勢への回動時に、案内ガイドと一体的にワイヤを押し込み移動させるようにワイヤを支持する支持部を設けることによって、ワイヤを後部カバーより前方側に押し込み、ワイヤの屈曲破損や、他の構造物の妨げ等を防止することができる。
【発明を実施するための最良の形態】
【００１１】
図１はコンバインの平面図である。該コンバインは、走行機体１の前方に前処理部２が設けられている。前処理部２の右後方にはシート３を備えた運転席４が設けられている。運転席４の後方には、脱穀後の穀粒を貯粒する穀粒タンク６が設けられている。穀粒タンク６の左側方には脱穀部７が設けられている。
【００１２】
脱穀部７の側方にはフィードチェン８が設けられている。脱穀部７の後方には、穀粒タンク６の後方に至るカッタ９が設けられている。脱穀部７の後方からカッタ９の上方に至り排わらを搬送するである排わらチェン１１が設けられている。
【００１３】
本コンバインは、従来同様、前処理部２によって穀稈を刈り取り、刈り取った刈取穀稈を後方に搬送してフィードチェン８に受け継がせ、刈取穀稈をフィードチェン８によって脱穀部７に供給して脱穀し、脱穀後の穀稈を排わらとしてフィードチェン８から排わらチェン１１に受け継がせ、排わらチェン１１によってカッタ９に供給して切断処理又はカッタ９に供給することなく排出処理する。
【００１４】
図２は上記脱穀部７の側面概略断面図である。脱穀部７には、上方側の扱室１２と、下方側の選別室１３とが選別網１４によって区切られて設けられている。扱室１２内には扱胴１６が回転駆動自在に設けられている。選別室１３には、選別網１４を通過して導入される扱降物を揺動選別する揺動選別体１７と、選別風を送風する唐箕ファン１８と、排塵を機外に排出する排塵ファン１９とが設けられている。
【００１５】
該脱穀部７は、従来同様フィードチェン８によって扱胴１６に供給される穀稈を扱胴１６によって脱穀し、選別室１３において一番物と二番物とを選別し、一番物を穀粒タンク６に排出する。
【００１６】
穀粒タンク６の後方には、カッタ支持フレーム２１が配置されている。カッタ支持フレーム２１は、図３に示されるように、機体フレーム１ａに固定されている。カッタ支持フレーム２１の左側方には、走行機体１の後方をカバーする後部カバー２２が、機体フレーム１ａに固定されて設けられている。
【００１７】
前述のカッタ９は、カッタケース２３を備えている。カッタ９はカッタケース２３内にユニット化されて構成されている。カッタケース２３の右端部にはアーム２４が突設されている。アーム２４はカッタ支持フレーム２１に支点軸２６を介して回動自在に取付けられている。これによりカッタ９は支点軸２６を軸心としてカッタ支持フレーム２１に回動自在に支持されている。
【００１８】
カッタ９は上記回動によって、図４に示されるように左端部側が脱穀部７に対して閉じた作業姿勢Ａと、図５に示されるように、脱穀部７に対して開いた開放姿勢Ｂとに姿勢切換が行われる。
【００１９】
図２に示されるように、カッタケース２３内には、排わらの切断用の刃２７，２８が設けられている。該刃２７，２８は回転駆動によって排わらの切断を行う。カッタケース２３の上面は、後方が下がるような後方傾斜状態をなす。カッタケース２３の上面は、カッタケース２３内に排わらを落下させることができるように一部が開口している。
【００２０】
カッタケース２３の上面には、起伏揺動自在に切換板２９が設けられている。該切換板２９は後端側を支点として、前端側が上下に揺動する。切換板２９は倒伏状態Ｘにおいてカッタケース２３の上面に沿って開口部分を閉じて塞ぐ。切換板２９は起立状態Ｙにおいてカッタケース２３の上面の開口部分を開き、開口状態とする。
【００２１】
切換板２９を起伏状態Ｙとすることによって、排わらチェン１１からカッタケース２３の上方に搬送された排わらをカッタケース２３内に導入し、切断処理することができる。切換板２９を倒伏状態Ｘとすることによって、排わらチェン１１からカッタケース２３の上方に搬送された排わらは、切換板２９の上面を滑り、カッタケース２３内に導入されることなくカッタ９の後方に落下処理される。
【００２２】
運転席４内には座席３の後方側の側方に上記切換板２９の操作レバー３１が設けられている。該操作レバー３１と上記切換板２９とはワイヤ３２によって連結されている。図６に示されるように、該ワイヤ３２の切換板２９側のアウタ３２Ａは、ブラケット３３を介してカッタケース２３に固定されている。
【００２３】
ワイヤ３２の切換板２９側のインナ３２Ｂが切換板２９を起伏操作する操作アーム３４に連結されている。操作レバー３１の前後揺動によってインナ３２Ｂが操作され、操作アーム３４によって切換板２９が起伏操作される。
【００２４】
上記ブラケット３３には、脱穀部７側に延出する杆状のワイヤ支持ガイド３６が設けられている。ワイヤ支持ガイド３６は、弾力性を備えたバネ材等からなる。ワイヤ支持ガイド３６は、支軸３７を介してブラケット３３に左右揺動自在に支持されている。
【００２５】
前述の後部カバー２２には、ワイヤ３２及びワイヤ支持ガイド３６を挿通させる孔からなる挿通部（挿通孔）３８が設けられている。該挿通孔３８にはゴムリング３９が装着されている。ワイヤ３２及びワイヤ支持ガイド３６は、挿通孔３８（ゴムリング３９内）を通過して後部カバー２２の前方側に突出又は延出している。
【００２６】
ワイヤ支持ガイド３６の後部カバー２２の前方側に突出した前端側は、螺旋状に曲げ形成され、ワイヤ３２の支持部３６ａを構成している。ワイヤ３３は、アウタ３３Ａがワイヤ支持ガイド３６の支持部３６ａ（螺旋内）を通過することによって、後部カバー２２より前方側においてワイヤ支持ガイド３６に支持されている。
【００２７】
ワイヤ３３は、挿通孔３８を通過して後部カバー２２を抜け、上記のようにワイヤ支持ガイド３６に支持された状態で上記操作レバー３１側に延出し、操作レバー３１に連結されている。
【００２８】
本コンバインは上記のようにカッタ９が開閉回動しするため、カッタ９が開放姿勢Ｂにあるときと、カッタ９が作業姿勢Ａのときとでは、操作レバー３１から切換板２９までの距離が異なる。このため本コンバインにおいてはワイヤ３２の長さをカッタ９が開放姿勢Ｂにあるときに基づいて設定されている。
【００２９】
このためカッタ９が作業姿勢Ａに閉じられると、ワイヤ９には弛みが発生する。これに対して本実施形態においては、カッタ９の作業姿勢Ａにおいて、ワイヤ支持ガイド３６の先端側を平面視で穀粒タンク６の後方側の形状に沿うように湾曲させ、ワイヤ３２を穀粒タンク６の後方側に沿わせながら穀粒タンク６と脱穀部７との間を通過するように案内し、弛みをとるようにワイヤ３２の経路が設定されている。
【００３０】
カッタ９を作業姿勢Ａから開放姿勢Ｂに開くと、ワイヤ３２は上記弛み分の余裕分が引き出され、カッタ９の開放姿勢Ｂへの切換を妨げることはない。カッタ９を開放姿勢Ｂから作業姿勢Ａに閉じる場合は、ワイヤ支持ガイド３６が、カッタ９の回動に伴って揺動しながらワイヤ３２を案内する。
【００３１】
ワイヤ支持ガイド３６の揺動は通過孔３８内（ゴムリング３９内）に規制される。このためカッタ９の回動に伴ってワイヤ３２を穀粒タンク６の後方側に沿わせながらワイヤ３２の上記弛み部分を後部カバー２２の前方側（穀粒タンク６側）に押し込み、ワイヤ３２を上記経路に収める。以上によりカッタ９の開閉回動に伴うワイヤ３２の移動時に、ワイヤ３２が屈曲して破損したり、ワイヤ３２が他の構造物の妨げになったりする不都合が防止される。
【００３２】
ワイヤ３２はカッタケース２３におけるカッタ９の回動支点（支点軸２６）側の側方から突出し、支点軸２６の近傍を通過するため、カッタ９の開閉に伴い極端に大きく姿勢が変更されることはない。
【００３３】
ワイヤ支持ガイド３６の支持部３６は、螺旋内にワイヤ３２（アウタ３２Ａ）を通過させることによってワイヤ３２を支持している。上記のようにカッタ９を開放姿勢Ｂから作業姿勢Ａに閉じる際に、ワイヤ３２を後部カバー２２の前方側に押し込む場合、螺旋部分とワイヤ３２との摩擦抵抗によりワイヤ３２はワイヤ支持ガイド３６の先端側に一体的に支持され、ワイヤ支持ガイド３６とともに移動しながら上記のように所定経路に収められる。
【００３４】
またカッタ９を作業姿勢Ａから開放姿勢Ｂに開く際に、ワイヤ３２を後部カバー２２の後方側に引き出す場合も上記同様に、ワイヤ３２はワイヤ支持ガイド３６の先端側に一体的に支持され、ワイヤ支持ガイド３６とともに移動しながら引き出される。
【００３５】
ただしワイヤ支持ガイド３６の支持部３６ａ（螺旋部分）の内径と、ワイヤ３２（アウタ３２Ａ）の外径との間には隙間があり、融通があるため、ワイヤ３２の押し込み及び引き出しいずれの場合もワイヤ３２側に強い力がかかったり、大きな抵抗が発生したりする場合は、ワイヤ３２は支持部３６ａを滑り、上記抵抗等から逃げることができ、破損等は防止される。
【００３６】
上記支持部３６ａの内径と、ワイヤ３２の外径との間の隙間によって、ワイヤ３２を中間部分において支持部３６ａに外側から巻き込み、支持部３６ａに簡単に支持させることができる。
【図面の簡単な説明】
【００３７】
【図１】コンバインの平面図である。
【図２】脱穀部の側面概略断面図である。
【図３】穀粒タンクを取り外した状態において後部カバー部分を示す斜視図である。
【図４】カッタを作業姿勢に閉じた状態を示す要部平面図である。
【図５】カッタを開放姿勢に開いた状態を示す要部平面図である。
【図６】カッタ部分の右側面図である。
【符号の説明】
【００３８】
９    カッタ
２３  カッタケース（カッタ機枠）
２９  切換板（切換装置）
３１  操作レバー（操作具）
３２  ワイヤ
３６  ワイヤ支持ガイド（案内ガイド）
Ａ    作業姿勢
Ｂ    開放姿勢
【図１】
2007289024.tif 000003
【図２】
2007289024.tif 000004
【図３】
2007289024.tif 000005
【図４】
2007289024.tif 000006
【図５】
2007289024.tif 000007
【図６】
2007289024.tif 000008